(57)【要約】【課題】  ランプおよび保護パイプの取り付け取り外しが容易にできるランプソケットを提供する。【解決手段】  ヒンジ構造により第１本体１０に対して第２本体３０が開閉自在であり、第２本体３０が閉じたときに、照明ランプ１５０の電極と接続されるソケット本体と、第１本体１０および第２本体３０にそれぞれ設けられ、第２本体３０を閉じたときに、照明ランプ１５０が挿入された保護パイプ１６０を保持する第１パイプ保持部２２および第２パイプ保持部４０と、第１本体１０および第２本体３０にそれぞれ設けられ、第２本体３０を閉じたときに、互いを係止する第１係止部材２４および第２係止部材４２と、を有するランプソケット。【選択図】            図１
2006318856.tif 000002
【特許請求の範囲】
【請求項１】
ヒンジ構造により第１本体に対して第２本体が開閉自在であり、第２本体が閉じたときに、照明ランプの電極と接続されるソケット本体と、
前記第１本体および前記第２本体にそれぞれ設けられ、前記第２本体を閉じたときに、前記照明ランプが挿入された保護パイプを保持する第１パイプ保持部および第２パイプ保持部と、
前記第１本体および前記第２本体にそれぞれ設けられ、前記第２本体を閉じたときに、互いを係止する第１係止部材および第２係止部材と、
を有するランプソケット。
【請求項２】
前記第１本体および前記第２本体にそれぞれ設けられ、前記第２本体を閉じたときに、前記照明ランプの電極ピンの外周を対向して保持する第１保持部および第２保持部を、さらに有する請求項１記載のランプソケット。
【請求項３】
前記第１保持部には、受電極が形成されており、
第１本体には、前記照明ランプを取り付ける際に前記第１保持部に前記電極ピンをガイドするガイド通路が形成されている請求項２に記載のランプソケット。
【発明の詳細な説明】
【技術分野】
【０００１】
本発明は、照明ランプを保持するためのランプソケットに関する。
【背景技術】
【０００２】
対向する位置に取り付けられ、間に照明ランプなどのランプを保持する一対のランプソケットとして、様々なものが知られている。その一つとして、配線および受電極を保持するソケット本体と、ランプの周囲を保護し、ランプの温度を維持するための保護パイプを保持するパイプ保持部とからなるものがある。
【０００３】
ソケット本体には、ランプの電極ピンを差し込むための差込穴が設けられている。差込穴には電極ピンと電気的に接続される受け電極が設けられている。差込穴の位置は、ソケット本体に設けられたバネ機構により変えられる。したがって、電極ピンを差込穴に差し込む際には、ソケット本体の差込穴の位置を変えながら、電極ピンが差込穴に差し込まれる。ランプは、差込穴に差し込まれた電極ピンにより、保持される。
【０００４】
パイプ保持部は、ソケット本体の周囲を囲むように設けられている。パイプ保持部は、ランプが挿入された透明の保護パイプに嵌合され、保護パイプを密閉し、保護パイプを保持する。保護パイプにより、ランプは、外部から保護され、また、低温になって暗くならないように、保温される。
【特許文献１】特開平０５−００６７８６号公報（図９、図１０参照）
【発明の開示】
【発明が解決しようとする課題】
【０００５】
しかし、上記のような従来のランプソケットでは、ランプの電極ピンをソケット本体の差込穴に取り付けた後、さらに、パイプ保持部に保護パイプを嵌合しなくてはならないので、ランプおよび保護パイプの取り付けが煩雑である。
【０００６】
本発明は、上記事情に鑑みてなされたものであり、ランプおよび保護パイプの取り付け取り外しが容易にできるランプソケットを提供することを目的とする。
【課題を解決するための手段】
【０００７】
ヒンジ構造により第１本体に対して第２本体が開閉自在であり、第２本体が閉じたときに、照明ランプの電極と接続されるソケット本体と、前記第１本体および前記第２本体にそれぞれ設けられ、前記第２本体を閉じたときに、前記照明ランプが挿入された保護パイプを保持する第１パイプ保持部および第２パイプ保持部と、前記第１本体および前記第２本体にそれぞれ設けられ、前記第２本体を閉じたときに、互いを係止する第１係止部材および第２係止部材と、を有するランプソケット。
【発明の効果】
【０００８】
本発明のランプソケットによれば、第１本体に対して第２本体を閉じることによって、照明ランプの電極と接続されるので、照明ランプの電極ピンを差し込んだりする必要がなく、容易に照明ランプを取り付けることができる。さらに、第１本体に対して第２本体を閉じることによって、同時に、第１パイプ保持部および第２パイプ保持部により保護パイプが保持されるので、保護パイプを容易に取り付けることができる。第１本体に対して第２本体を再度開けることによって、照明ランプおよび保護パイプを容易に取り外すことができる。
【０００９】
第１本体に対して第２本体を閉じたときに、第１係止部材と第２係止部材とを互いに係止させることにより、照明ランプおよび保護パイプの脱落を確実に防止できる。さらに、第１係止部材と第２係止部材とが互いに係止していることを確認することにより、照明ランプおよび保護パイプが確実にランプソケットに取り付けられたことを容易に確認できる。
【発明を実施するための最良の形態】
【００１０】
以下、図面を参照して、本発明の実施の形態を説明する。
【００１１】
図１はランプソケットを示す斜視図、図２はランプソケットの分解斜視図である。
【００１２】
ランプソケットは、図１および図２に示すように、第１本体１０、第２本体３０および背面部材５０を有する。
【００１３】
第１本体１０および第２本体３０は、ソケット本体１００を構成し、背面部材５０から延びた中心軸５２により、一端がヒンジ構造により接続されている。これにより、ソケット本体１００は、第１本体１０に対して第２本体３０が開いたり、閉じたりできる。
【００１４】
第１本体１０、第２本体３０、背面部材５０について、詳細に説明する。
【００１５】
（第１本体１０）
図３は第１本体を示す図である。ここで、図３（Ａ）は第１本体の正面図、（Ｂ）は右側面図、（Ｃ）は背面図、（Ｄ）は左側面図である。
【００１６】
第１本体１０は、図２および図３に示すように、略半円状の第１保持部１２と、第１保持部１２に取り付けられた略直方体の土台部１４とを有する。
【００１７】
第１保持部１２は、照明ランプの取り付け時に、照明ランプの２本の電極ピンにそれぞれ電気的に接続される受電極１６を有する。受電極１６は、電極ピンの半周を保持できるように、半円形状である。受電極１６は、電極ピンをガイドするためのガイド通路１８の底に設けられている。
【００１８】
ガイド通路１８は、受電極１６に向かって幅が狭くなるように形成されている。したがって、照明ランプをランプソケットに取り付ける際に、簡単に電極ピンをガイド通路１８に進入させ、受電極１６まで導ける。
【００１９】
第１保持部１２の端部には、背面部材５０の中心軸５２と嵌合するための軸保持部２０が設けられている。
【００２０】
第１保持部１２には、外縁から突出する略半円筒状の第１パイプ保持部２２が設けられている。第１パイプ保持部２２には、外側に第１係止部材２４が設けられている。第１係止部材２４は、たとえば、第１パイプ保持部２２の外側に向かって形成された凸部である。該凸部は、後述する第２係止部材４２の凹部と嵌合することによって、第２係止部材４２を係止する。
【００２１】
土台部１４には、受電極１６に接続されたリード線６０（図８参照）を通すリード線通路２６が形成されている。
【００２２】
土台部１４の底には、フック部２８が設けられている。フック部２８は、ランプソケットをショーケースなどの照明装置に取り付ける際に利用される。
【００２３】
（第２本体３０）
図４は第２本体を示す図である。ここで、図４（Ａ）は第２本体の正面図、（Ｂ）は右側面図、（Ｃ）は背面図、（Ｄ）は左側面図である。
【００２４】
第２本体３０は、図２および図４に示すように、第１本体１０と略同一直径の略半円状の第２保持部３２を有する。
【００２５】
第２保持部３２には、第１保持部１２および第２保持部３２を組み合わせたときに、照明ランプの２本の電極ピンを保持するための保持溝３４が形成されている。保持溝３４は、電極ピンの半周を保持できるように、半円形状である。
【００２６】
第２保持部３２の端部には、円筒部材３６が取り付けられている。円筒部材３６には、ランプソケットの組立時に、背面部材５０の中心軸５２が貫通する貫通孔が形成されている。
【００２７】
第２保持部３２の中央背面には、板状部材３８が取り付けられている。該板状部材３８は、保持溝３４が並ぶ方向と平行に伸びている。
【００２８】
第２保持部３２には、第１保持部１２と同様に、外縁から突出する略半円筒状の第２パイプ保持部４０が設けられている。第２パイプ保持部４０には、外側に第２係止部材４２が設けられている。第２係止部材４２は、弾性を有する板状体であり、第１係止部材２４の凸部と合致する開口が形成されている。
【００２９】
（背面部材５０）
図５は背面部材を示す図である。ここで、図５（Ａ）は背面部材の正面図、（Ｂ）は右側面図、（Ｃ）は背面図、（Ｄ）は左側面図である。
【００３０】
背面部材５０は、ランプソケットの組立時に、第１本体１０の背面に取り付けられる部材である。背面部材５０は、第１本体１０側の面全体が開口しており、また、第１本体１０のガイド通路１８に対応して側面にもテーパ状の開口５４が設けられている。
【００３１】
背面部材５０には、前方に向かって延びる中心軸５２が取り付けられている。中心軸５２は、背面部材５０の側方に取り付けられている。
【００３２】
以上の第１本体１０、第２本体３０および背面部材５０を組み合わせる際には、背面部材５０の中心軸５２を、第２本体３０の円筒部材３６に貫通させて、第１本体１０の軸保持部２０に嵌挿させる。すなわち、第１本体１０、第２本体３０および背面部材５０は、軸保持部２０、円筒部材３６および中心軸５２により、互いに接続される。同時に、第１本体１０の背面に背面部材５０を接着する。このようにして、第１本体１０、第２本体３０および背面部材５０が一体に組み合わされる。ソケット材料をナイロンの様なヒンジ特性に優れた材料を使うことで、軸保持部の構造を簡略化でき、第１本体１０と第２本体３０とが最初から繋がった構造の物ができる。
【００３３】
（ランプソケットの作用）
次にランプソケットの作用について説明する。
【００３４】
図６は開いた状態のランプソケットの正面図、図７は開いた状態のランプソケットの背面図、図８は閉じた状態のランプソケットの正面図および側面図、図９は保護パイプに挿入された照明ランプの様子を示す図である。なお、図６においては、照明ランプ１５０および電極ピン１５２の端部のみを示している。
【００３５】
以上のような第１本体１０、第２本体３０および背面部材５０を組み立てると、図６および図７に矢印で示すように、第１本体１０に対して、第２本体３０が開閉自在なランプソケットが構成される。ランプソケットは、左右対称なものが２個一組として、対向する位置に設けられ、長尺状の照明ランプを両側から支持し、かつ、照明ランプの全体を覆って保護する保護パイプを保持する。以下の説明では、２個のランプソケットのうち一方に注目し、照明ランプおよび保護パイプの一端が支持される様子を説明する。
【００３６】
ランプソケットに照明ランプ１５０を取り付ける際には、まず、図６および図７に示すように、第１本体１０と第２本体３０とが分離されて開いた状態にされる。そして、図９に示すように保護パイプ１６０が被さった照明ランプ１５０の電極ピン１５２が、ガイド通路１８の広い入り口から第１本体１０にセットされる。そして、図８に示すように、第２本体３０が閉じられ、第１本体１０と第２本体３０とが組み合わされる。
【００３７】
第１本体１０と第２本体３０とを組み合わせる際には、第２本体３０の第２係止部材４２を外側に若干変形させつつ、第１本体１０の第１係止部材２４上に被せることによって、第１係止部材２４と第２係止部材４２とが嵌合する。嵌合により、第２係止部材４２は元の形状に戻り、第１係止部材２４と第２係止部材４２がロックされる。
【００３８】
完全に、第２本体３０が閉じると、照明ランプ１５０の電極ピン１５２は、第１本体１０の受電極１６および第２本体３０の保持溝３４により挟持される。また、第２本体３０が閉じると、第１本体１０の第１パイプ保持部２２および第２本体３０の第２パイプ保持部４０は、保護パイプ１６０の端部に合致する一つの円筒を構成し、保護パイプ１６０を保持および固定する。保護パイプは、蛍光灯が低温になって暗くならないように、蛍光灯を保温する役割も兼ねる。
【００３９】
電極ピン１５２は、第１本体１０の受電極１６と接続され、リード線６０を介して、反対側の電極ピン１５２または電源と接続される。ここで、リード線６０は、図８において点線で示すように、第１本体１０および背面部材５０の間から、第１本体１０に形成されたリード線通路２６を通って収納されている。
【００４０】
ランプソケットから照明ランプを取り外す際には、取り付けと逆の手順にたどる。すなわち、第２係止部材４２を外側に変形して、第１係止部材２４とのロックを解除し、第２本体３０を開く。すると、照明ランプの電極ピンは、もはや挟持されていないので、ガイド通路１８に沿って第１本体１０から取り外される。第１係止部材２４および第２係止部材４２のロックの解除により、第１パイプ保持部２２および第２パイプ保持部４０による保護パイプ１６０の固定も解除される。
【００４１】
以上のように、本実施形態のランプソケットによれば、第１本体１０に対して第２本体３０を開くことによって、照明ランプを保持するための第１保持部１２および第２保持部３２が離れるので、照明ランプ１５０の電極ピン１５２を差し込んだりする必要がなく、容易に照明ランプを取り付けることができる。さらに、第１本体１０に対して第２本体３０を閉じることによって、同時に、第１パイプ保持部２２および第２パイプ保持部４０により保護パイプ１６０が保持されるので、保護パイプ１６０を容易に取り付けることができる。
【００４２】
第１本体１０に対して第２本体３０を再度開けることによって、照明ランプ１５０および保護パイプ１６０を容易に取り外すことができる。
【００４３】
また、第１本体１０および第２本体３０を閉じ、第１係止部材２４と第２係止部材４２とが互いに係止することにより、照明ランプが適当にランプソケットに取り付けられたことを容易かつ確実に確認できる。第１本体１０および第２本体３０間に異物などが挟まっている場合には、第１係止部材２４および第２係止部材４２を互いに係止できないので、照明ランプの接続不良を確実に防止できる。
【００４４】
さらに、第２本体３０を閉じたときに、保持溝３４が照明ランプ１５０の電極ピン１５２を受電極１６まで押し込むので、電極ピン１５２と受電極１６とを確実に接続させることができ、接続不良がない。
【００４５】
第２本体３０を閉じたときには、第１パイプ保持部２２および第２パイプ保持部４０により照明ランプの端部全周が包囲されるので、電極ピン近傍を確実に保護できる。たとえば、ランプソケットを要冷凍製品の陳列用ショーケースなどに適用する場合、電極ピンに水が垂れたり、接触したりすることを防止できる。なお、第２本体３０が閉じた状態では、板状部材３８は、第１本体１０のガイド通路１８および背面部材５０の対応する開口に蓋をする。これにより、ガイド通路１８からの水分の浸入も容易に防止できる。
【００４６】
第１本体１０には、ガイド通路１８が設けられているので、第２本体３０を開いた状態で照明ランプを容易に受電極１６の位置までセットできる。
【００４７】
さらに第１本体１０には、リード線６０を収納する通路が設けられているので、リード線６０をランプソケットおよび該ランプソケットが取り付けられるショーケースに固定できる。従来のソケットでは、棚裏からソケットに配線がぶら下がっていたが、本実施形態のランプソケットを用いることにより、棚下に配線がぶら下がることがなく、商品の出し入れ時に配線が引っかかることがない。
【００４８】
なお、上記実施形態では、第１保持部１２および第２保持部３２により電極ピンを挟む例を示している。しかし、これに限定されない。第１本体１０および第２本体３０は、閉じたときに、電極ピンが抜け落ちない程度に電極ピンの位置を規制してもよい。
【００４９】
なお、ランプソケットをショーケースなどに取り付ける際の姿勢は、図示したものに限られない。第２本体３０が垂れ下がるように、ショーケースの上方に第１本体１０を取り付けることができる。
【図面の簡単な説明】
【００５０】
【図１】ランプソケットを示す斜視図である。
【図２】ランプソケットの分解斜視図である。
【図３】第１本体を示す図である。
【図４】第２本体を示す図である。
【図５】背面部材を示す図である。
【図６】開いた状態のランプソケットの正面図である。
【図７】開いた状態のランプソケットの背面図である。
【図８】閉じた状態のランプソケットの正面図および側面図である。
【図９】保護パイプに挿入された照明ランプの様子を示す図である。
【符号の説明】
【００５１】
１０…第１本体、
１２…第１保持部、
１４…土台部、
１６…受電極、
１８…ガイド通路、
２０…軸保持部、
２２…第１パイプ保持部、
２４…第１係止部材、
２６…リード線通路、
２８…フック部、
３０…第２本体、
３２…第２保持部、
３４…保持溝、
３６…円筒部材、
３８…板状部材、
４０…第２パイプ保持部、
４２…第２係止部材、
５０…背面部材、
５２…中心軸、
５４…開口、
６０…リード線、
１００…ソケット本体、
１５０…照明ランプ、
１６０…保護パイプ。
【図１】
2006318856.tif 000003
【図２】
2006318856.tif 000004
【図３】
2006318856.tif 000005
【図４】
2006318856.tif 000006
【図５】
2006318856.tif 000007
【図６】
2006318856.tif 000008
【図７】
2006318856.tif 000009
【図８】
2006318856.tif 000010
【図９】
2006318856.tif 000011